(57)【要約】【課題】低コストで安定的かつ確実にストレス栽培を行うことができる遮根透水チューブを提供する。【解決手段】ＪＩＳ  Ｌ１０９６  Ａ法で１０ｃｍ３／ｃｍ２／Ｓ以下の通気度またはＪＩＳ  Ｌ１０９２  Ａ法で１ｃｍ以上の耐水度を有する膜体を、その側端部同士を全てにわたって連続して接着させた０．２〜２０ｍｍの幅の接着部によって筒形状に形成したことを特徴とする遮根透水チューブ。チューブの一本の長さは０．１〜１ｍであり、チューブの一本の内周長は２０〜２０００ｍｍであることが好ましい。膜体はＪＩＳ  Ｌ１０９６法で３０Ｎ／５ｃｍ以上の破断強力を有することが好ましい。チューブ内に毛細管現象を利用した給水材を挿入することによりストレス栽培に好適な資材となる。【選択図】  図１
2009000072.tif 000002
【特許請求の範囲】
【請求項１】
ＪＩＳ  Ｌ１０９６  Ａ法で１０ｃｍ３／ｃｍ２／Ｓ以下の通気度またはＪＩＳ  Ｌ１０９２  Ａ法で１ｃｍ以上の耐水度を有する膜体を、その側端部同士を全てにわたって連続して接着させた０．２〜２０ｍｍの幅の接着部によって筒形状に形成したことを特徴とする遮根透水チューブ。
【請求項２】
膜体が合成繊維を含むことを特徴とする請求項１に記載の遮根透水チューブ。
【請求項３】
合成繊維が不織布であることを特徴とする請求項１または２に記載の遮根透水チューブ。
【請求項４】
チューブの一本の長さが０．１〜１ｍであり、チューブの一本の内周長が２０〜２０００ｍｍであることを特徴とする請求項１〜３のいずれかに記載の遮根透水チューブ。
【請求項５】
膜体がＪＩＳ  Ｌ１０９６法で３０Ｎ／５ｃｍ以上の破断強力を有することを特徴とする請求項１〜４のいずれかに記載の遮根透水チューブ。
【請求項６】
接着部が超音波、高周波、電熱および／または接着剤によって接着されることを特徴とする請求項１〜５のいずれかに記載の遮根透水チューブ。
【請求項７】
請求項１〜６のいずれかに記載の遮根透水チューブ内に毛細管現象を利用した給水材を挿入したことを特徴とするストレス栽培用遮根透水チューブ。
【発明の詳細な説明】
【技術分野】
【０００１】
本発明は、多種にわたる農作物の栽培に使用可能な遮根透水チューブに関する。
【背景技術】
【０００２】
近年、花卉類、野菜類、果菜類、果物類の栽培では、ハウス栽培による促成、晩成、周年栽培が可能になり、それで付加価値を付けることは日常的になってきている。更に高い付加価値を付けるために、温度はもちろん、供給水分量を最低限に絞込むストレス栽培法がいくつか知られている。例えば、ハウス内土耕での根域制御栽培では、土壌内に紙等の遮根透水材を敷き詰め、その上に栽培土壌を満たして野菜の苗を定植し、栽培成長に必要な濃度や量を調節した養液を点滴潅水で土壌に給水するハウス栽培方法がある。確かに、この方法は、遮根透水シートで根を一定範囲内に隔離しており、その隔離内土壌に制限給水することでストレス栽培が確立される。しかし、この方法は、点滴管閉塞や原水圧変化に起因する給水停止の恐れがあり、植物が萎れて回復できないと言う問題点をはらみ、植物の徒長不揃いや実数や糖度にバラツキが発生しやすく、そのため栽培監視を怠れないという問題があった。更に、隣り合った苗と土壌が繋がっている場合では一つの苗が病気になると次々と他の苗へ伝播していく可能性もある。更に、一作終了すると苗床を掘り起こして再設置する手間は労力やコスト面にしわ寄せとなっていた。
【０００３】
また、最近では、特殊加工した高吸水性ポリマーを極薄フィルム化し、そのフィルムの下に養液を配置し、上に５ｍｍ程度の栽培土壌を敷くトマトの高糖度ストレス栽培法が脚光を浴びている。確かに、この栽培方法は養液へ根が入らず、しかも極小量の養液を吸収した特殊加工フィルムの吸収養液を植物の根が吸収できる利点がある。しかし、この方法においても土壌が繋がっているための病気の伝播の可能性や、苗の成長過程で養液濃度を変更する必要性の点で前述の点滴潅水法と同じ問題を抱えており、さらに一作終了後の再設置の手間も点滴潅水栽培と同様であり、それ以外にフィルムが薄いために苗が成長し、実が成長しはじめると重量が増加してくるためフィルムが破れる危険性もはらんでいる。
【０００４】
また、鉢植した植物の鉢底穴から土壌内に、水の吸い上げ性能に優れた不織布などのリボンの一端を直接挿入し、他端を連続した容器内の水に漬け込んで毛細管で吸上げさせて給水させる方法が花卉栽培などで省力化栽培として行われている。しかし、この方法は、不織布リボンが吸上げた水分を貧欲に得ようとして細根が不織布内へ侵入してしまい、やがては不織布内部を伝って容器内の水まで到達し、更に水分を吸収する可能性がある。そのため水分過剰の原因になる。それも鑑賞対象等の花卉栽培なら不揃いさも気にならぬ程度に栽培できるが、より高い糖度を競う果菜類などの栽培には均一に高糖度を得られないため適さなかった。
【発明の開示】
【発明が解決しようとする課題】
【０００５】
本発明は、かかる従来技術の現状に鑑み創案されたものであり、その目的は、低コストで安定的かつ確実にストレス栽培を行うことができる遮根透水チューブを提供することにある。
【０００６】
本発明者は、上記目的を達成するために鋭意研究した結果、遂に本発明を完成するに到った。即ち、本発明は以下の構成よりなるものである。
（１）ＪＩＳ  Ｌ１０９６  Ａ法で１０ｃｍ３／ｃｍ２／Ｓ（Ｓ＝秒）以下の通気度またはＪＩＳ  Ｌ１０９２  Ａ法で１ｃｍ以上の耐水度を有する膜体を、その側端部同士を全てにわたって連続して接着させた０．２〜２０ｍｍの幅の接着部によって筒形状に形成したことを特徴とする遮根透水チューブ。
（２）膜体が合成繊維を含むことを特徴とする前記（１）に記載の遮根透水チューブ。
（３）合成繊維が不織布であることを特徴とする前記（１）または（２）に記載の遮根透水チューブ。
（４）チューブの一本の長さが０．１〜１ｍであり、チューブの一本の内周長が２０〜２０００ｍｍであることを特徴とする前記（１）〜（３）のいずれかに記載の遮根透水チューブ。
（５）膜体がＪＩＳ  Ｌ１０９６法で３０Ｎ／５ｃｍ以上の破断強力を有することを特徴とする前記（１）〜（４）のいずれかに記載の遮根透水チューブ。
（６）接着部が超音波、高周波、電熱および／または接着剤によって接着されることを特徴とする前記（１）〜（５）のいずれかに記載の遮根透水チューブ。
（７）前記（１）〜（６）のいずれかに記載の遮根透水チューブ内に毛細管現象を利用した給水材を挿入したことを特徴とするストレス栽培用遮根透水チューブ。
【発明の効果】
【０００７】
本発明の遮根透水チューブは、チューブの緻密さゆえに植物の根が侵入しないが、植物が必要とする水は通過させることが可能である。この性能のため、鉢底穴に挿入された給水用不織布への根の侵入が不可能になり、根はチューブ表面に張り付いた状態でしか水分を吸収できないことになる。また、チューブ内周長を特定範囲に制限して、その内周に適合した毛細管現象利用不織布リボンを挿入することによって、日中の最も盛んに水分を必要とするときの水分量を制限する（ストレスを与える）ことができ、栽培植物のストレス栽培に適した給水量にすることができる。本発明の遮根透水チューブにより、根はチューブ表面から直接水分を得るか、またはチューブから土壌へ毛細管浸透した水分を得るだけになり、適切なストレス栽培が可能になる。更なる水を得ようとして根がチューブ表面を伝って土壌外へ伸びようとしても、外気に触れることで根は萎縮枯死してしまうので、根は土壌中に存在してチューブ給水を受けるしか生き延びる術が無い。本発明の遮根透水チューブでは、チューブの側端部が特定の幅で全て接着され筒形状にされているので、チューブ端から根が入ることがない。
【発明を実施するための最良の形態】
【０００８】
以下、本発明の遮根透水チューブを詳細に説明するが、本発明はこれに限定されない。
本発明のチューブは、点滴潅水の問題点、高吸水性ポリマーフィルム使用栽培の問題点、水の吸上げ性にすぐれた不織布を鉢の底穴より差し込んで他端を溜水中に漬け込んで栽培する栽培方法の欠点等を解決するものである。図１は本発明のストレス栽培用遮根透水チューブの一例を示す。図１から明らかなように、本発明のチューブは、低通気性または耐水性の膜体１を、その側端部の全てにわたって連続した接着部２によって筒形状に形成することによって作られた遮根透水チューブであり、このチューブ内に毛細管現象を利用して水を移動させる給水材３を挿入することによりストレス栽培に好適な遮根透水チューブを提供する。これを開発するために本発明者はチューブ素材の低通気性と耐水性に着眼し、根を通過させずに水分は通過できる膜体の緻密域の満足できる特性を見出し、この緻密な膜体を一定サイズのチューブ状にすることで、遮根、透水、給水コントロールが可能なストレス栽培に適したチューブ状作物生育資材が作れることを見出した。毛細管現象を利用したリボン状給水材のチューブへの挿入法は、チューブを作ってから給水材を挿入する方法やチューブ製造時に給水材を封印する方法などを採用することができるが、特に制限されない。また、筒形状のチューブを作るのに２枚の膜体素材を重ねて両側端を接着する方法（この場合、接着部が２箇所になる）の他に、１枚の膜体を中央から半分に折り、重なる両側端部分を接着する方法（この場合、接着部が１箇所になる）を採用しても良い。
【０００９】
本発明のチューブは、低通気性または耐水性の膜体が側端部の全てにわたって連続した線もしくは連続した面状の接着部で筒形状に形成されていることを特徴とする。低通気性または耐水性の膜体はこれらの特性を持つフィルムでも良いが、繊維を単独使用したものかまたは繊維を併用したものが好ましく、更に好ましくは、フィルムを使用しない繊維単独の膜体がしなやかさを持っているために扱いやすく好ましい。この繊維単独膜体は、紙やパルプ材料でも天然繊維やレーヨン等の化繊でも良く、またこれらの混合膜体でも良いが、短期生育野菜ならば少なくとも２ヶ月間の栽培に支障がないことが必要である。長期栽培野菜なら最低でも６ヶ月の栽培に支障がないことが生分解の懸念上から望ましいが、物理的や化学的処理を施して生分解寿命を延長してもよい。この生分解耐久性面から膜体は合成繊維単独または２種類以上の合成繊維の複合またはこれらと通気性もしくは耐水性のフィルムとの複合体でも良い。さらに膜体構成の組織としては、不織布、織物、ニット等でも良く、特に制限しないがコスト面から不織布が好ましい。膜体の紫外線劣化についても最低６ヶ月の実栽培期間に耐えることが望ましい。
【００１０】
膜体から筒形状に形成して本発明のチューブを作る方法としては、縫製による方法が簡単であるが、この方法はミシン目ピッチの間の膜体が重なっているだけの箇所やミシン針が通過した穴が膜体に残り、この穴から細根が侵入する可能性があるため好ましくない。このために本発明では膜体の側端部の全部にわたって線状または面状に連続している接着部を作り筒形状に形成する。膜体の接着は接着剤による方法も良いが、非効率な生産方法であるため、好ましくは超音波や高周波の他電熱や蒸気を使用した熱を発生させる方法等で行うことが効率的で確実である。
【００１１】
膜体の一つの接着部の幅（膜体の側端部と直交する方向の大きさ）は０．２〜２０ｍｍであることが必要である。０．２ｍｍ未満では確実なシーリングが難しく、また接着部剥離強力が弱いため、取り扱い時に剥がれてしまう危険性もあり、細根が侵入する可能性が大きい。また、２０ｍｍを超えると剥離強力や細根侵入はないが、接着コストや材料コストや嵩張ってくるなどの問題も発生するので好ましくない。より好ましくは、接着部の幅は２〜１０ｍｍである。
【００１２】
チューブの１本の長さは０．１〜１ｍであることが好ましい。０．１ｍ未満では使用に際しての余裕長が無くなり、作業性が低下する。実際に使用するチューブ長さとしては一本あたり０．２〜１ｍであることがより好ましい。但し、このチューブ構造を製造する工程中の長さはその製法上、特に制限しない。
【００１３】
１本のチューブの内周長は２０〜２０００ｍｍであることが好ましい。２０ｍｍ未満では給水材をチューブ内に充填する工程が非能率的である。また、２０ｍｍ未満の内周長で１苗／１本で栽培可能な矮小植物もあるが、それらは数株のまとめ植えすることにより２０ｍｍ以上の円周長で対応できる。一方、２０００ｍｍを超える内周長を必要とする１本の植物は稀少である。但し、多株同時栽培や多面積への水供給などを要する場合はこの内周長を越えてもよい。
【００１４】
本発明のチューブを構成する膜体は、ＪＩＳ  Ｌ１０９６  Ａ法の通気性試験で１０ｃｍ３／ｃｍ２／Ｓ以下の通気性またはＪＩＳ  Ｌ１０９２  Ａ法の耐水度試験で１ｃｍ以上の耐水度を有する。１０ｃｍ３／ｃｍ２／Ｓを越える通気性または１ｃｍ未満の耐水度では膜体に存在する細孔から細根が侵入する可能性がある。但し、通気性の値で０、耐水度試験で試料表面に水が全く発現しないものは、チューブ表面からの水の滲み出しが無く目的に適合しない。
【００１５】
本発明のチューブを構成する膜体は、ＪＩＳ  Ｌ１０９６法で３０Ｎ／５ｃｍ以上の破断強力を有することが好ましい。３０Ｎ／５ｃｍ未満では、実使用面で破れる等の損傷発生につながるので注意が必要である。
【００１６】
本発明のチューブに使用される膜体を得るための方法としては、一般の透湿フィルムの製造法、製紙法、製編織法、各種不織布製造法等を採用することができ、またはこれらの方法で得られる通気性膜体同士を複合一体化する方法を採用することができる。この場合、繊維断面、繊度、熱収縮率、加熱や加圧等の物理加工、撥水加工等の単一使用もしくは複数併用を制限しない。また、抗菌性、着色、紫外線吸収剤をはじめとする機能増進処理を行うことも制限しない。また、何らかの目的で袋織物の一部にマーキングすることも制限しない。また、製造機種についても何等制限するものでない。また、本発明のチューブ内部に充填される毛細管現象を利用した給水材の性能は、バイレック法（一定水位を常時確保してなる容器中の水に垂直に垂らした吸上げ物質の一端を漬け、毛細管現象で吸上げた水の高さを測定する）による３０分間放置後の測定で３０ｍｍ以上あれば良いが、好ましくは５０ｍｍ以上、さらに好ましくは８０ｍｍ以上であると、水溜容器の液面レベルの余裕が大きくなるので好ましい。また、給水材は、膜体内側の少なくとも一部分に接着されて複合化されるようにすると、製造コストが低減できるため好ましい。この場合、接着部のシール性は、強さはもちろん細根も通過させないように施されるのは言うまでも無い。
【実施例】
【００１７】
次に本発明を実施例によって詳細に説明するが、本発明は実施例のみに限定されるものではない。なお、実施例中、通気性、耐水度、破断強力の測定はそれぞれ、ＪＩＳ  Ｌ１０９６  Ａ法、ＪＩＳ  Ｌ１０９２  Ａ法、ＪＩＳ  Ｌ１０９６法を使用した。内周長は、チューブを扁平にした内寸法値の２倍として物差しで測定した。
【００１８】
（実施例１）
０．７７ｃｍ３／ｃｍ２／Ｓの通気度及び３５Ｎ／５ｃｍの破断強力を有する厚さ５０μｍのポリオレフィンフィルム（幅７０ｍｍ、長さ５００ｍｍ）を２枚重ね、その間に東洋紡績（株）製造の毛細管現象利用の不織布給水材「ジャームガード７２１０Ｓ」を幅５０ｍｍ、長さ４３０ｍｍにカットしたリボンを真ん中に挟み込んで、両側に余る各１０ｍｍの部分に熱シール機を使用して連続した長さ５００ｍｍの接着部を作り、給水材を挿入されたチューブを得た。チューブの各接着部の幅は０．２ｍｍであり、長さは５００ｍｍであり、内周長は１１０ｍｍであった。次に、ピートモス：パーライト：バーミキュライト：腐葉土を１：１：２：２の重量比で混合した培地に栽培用肥料として商品名「マグアンプＫ」（（有）フジ園芸販売）の定量を混合し、５号植木鉢に充填した。その際に、鉢底の穴に、上述の不織布給水材を挿入したチューブを一度濡らし、土中内にはチューブのみの７０ｍｍの部分と不織布が挿入されている２３０ｍｍの部分の合計３００ｍｍを、約５０ｍｍピッチの蛇腹（楽器のアコーデオン）のように畳み込み、上を向けて鉢のほぼ中央部に蛇腹が位置するように埋め込んだ。その際、７０ｍｍのチューブのみの部分を端から１０ｍｍ幅で６回折りたたみ、ホッチキスを使用した針３個で止めてチューブ端開口部からの根の侵入防止をした。残り２００ｍｍのチューブの他の端は、水面維持容器内の溜水に浸し、水面と鉢穴の距離は５ｃｍに設定した。一つの鉢にトマトの１苗を植えて、最初のみ２００ｃｃの潅水を行った。同様の方法で６鉢を作り、３鉢は、１，３，６ヶ月経過後に鉢から土ごと苗を取り出して水中に漬け込み、土壌が落ちた時点で土中チューブと根の離れ具合から遮根性を、外部露出部分のチューブを引っ張る方法で紫外線劣化による耐久性を未使用チューブと比較して判定した。他の３鉢は、トマトの生長を観察することによって透水性（苗が萎れるか否かで判定）、糖度（Ｂｒｉｘ値測定）を判定しストレス度の判定に利用した。
【００１９】
（実施例２）
０．３ｃｍ３／ｃｍ２／Ｓの通気度及び１５０Ｎ／５ｃｍの破断強力を有する厚さ約２００μｍの旭化成建材（株）製建築用透湿防水壁紙（ポリオレフィンフィルムが透湿機能を出している）（幅７０ｍｍ、長さ５００ｍｍ）を２枚重ね、その間に東洋紡績（株）の毛細管現象利用の不織布給水材「ジャームガード７２１０Ｓ」を幅５０ｍｍ、長さ４３０ｍｍにカットしたリボンを真ん中に挟み込んで、両側に余る各１０ｍｍの部分に高周波使用のシール機を使用して連続した長さ５００ｍｍの接着部を作り、給水材を挿入されたチューブを得た。チューブの各接着部の幅は２ｍｍであり、長さは５００ｍｍであり、内周長は１１０ｍｍであった。その後、実施例１と同様に処して観察、判定した。
【００２０】
（実施例３）
０．５ｃｍ３／ｃｍ２／Ｓの通気度及び２６００Ｎ／５ｃｍの破断強力を有する厚さ約３００μｍの東洋紡績（株）製ナイロン高密度織物（幅７０ｍｍ、長さ５００ｍｍ）を２枚重ね、その間に東洋紡績（株）の毛細管現象利用の不織布給水材「ジャームガード７２１０Ｓ」を幅５０ｍｍ、長さ４３０ｍｍにカットしたリボンを真ん中に挟み込んで、両側に余る各１０ｍｍの部分に接着剤を使用して連続した長さ５００ｍｍの接着部を作り、給水材を挿入されたチューブを得た。チューブの各接着部の幅は１０ｍｍであり、長さは５００ｍｍであり、内周長は１２０ｍｍであった。その後、実施例１と同様に処して観察、判定した。
【００２１】
（実施例４）
７ｃｍの耐水度及び６４０Ｎ／５ｃｍの破断強力を有する厚さ約１００μｍの東洋紡績（株）製ポリエステル８３ｄｔｅｘ特殊フィラメント高密度織物（幅５０ｍｍ、長さ５００ｍｍ）を２枚重ね、その間に東洋紡績（株）の毛細管現象利用の不織布給水材「ジャームガード７２１０Ｓ」を幅４０ｍｍ、長さ４３０ｍｍにカットしたリボンを真ん中に挟み込んで、両側に余る各１０ｍｍの部分の間に溶着成分としてポリオレフィンフィルム（幅１０ｍｍ、長さ５００ｍｍ）を挟み込んで電熱シール機で連続した長さ５００ｍｍの接着部を作り、給水材を挿入されたチューブを得た。チューブの各接着部の幅は１ｍｍであり、長さは５００ｍｍであり、内周長は９０ｍｍであった。その後、実施例１と同様に処して観察、判定した。
【００２２】
（実施例５）
０．５ｃｍ３／ｃｍ２／Ｓの通気度及び６８０Ｎ／５ｃｍの破断強力を有する厚さ約１００μｍの東洋紡績（株）製ポリエステル８３ｄｔｅｘ高密度織物透湿防水加工布（幅５０ｍｍ、長さ５００ｍｍ）を２枚重ね、その間に東洋紡績（株）の毛細管現象利用の不織布給水材「ジャームガード７２１０Ｓ」を幅４０ｍｍ、長さ４３０ｍｍにカットしたリボンを真ん中に挟み込んで、両側に余る各１０ｍｍの部分の間に溶着成分としてポリオレフィンフィルム（幅１０ｍｍ、長さ５００ｍｍ）を挟み込んで高周波接着シール機で連続した長さ５００ｍｍの接着部を作り、給水材を挿入されたチューブを得た。チューブの各接着部の幅は５ｍｍであり、長さは５００ｍｍであり、内周長は９０ｍｍであった。その後、実施例１と同様に処して観察、判定した。
【００２３】
（実施例６）
レギュラーポリエステル短繊維８０ｇ／ｍ２と低融点成分を繊維外側に持つポリエステル短繊維１２０ｇ／ｍ２を混打綿〜カード〜ニードルパンチ〜加熱ロールによって一体化した複合不織布（厚さ約１０００μｍ、通気度５ｃｍ３／ｃｍ２／Ｓ、破断強力２５０Ｎ／５ｃｍ、幅９０ｍｍ、長さ５００ｍｍ）を用意し、その２枚を重ね、その間に東洋紡績（株）の毛細管現象利用の不織布給水材「ジャームガード７２１０Ｓ」を幅５０ｍｍ、長さ４３０ｍｍにカットしたリボンを真ん中に挟み込んで、両側に余る各２０ｍｍの部分を超音波接着機で連続した長さ５００ｍｍの接着部を作り、給水材を挿入されたチューブを得た。チューブの各接着部の幅は１５ｍｍであり、長さは５００ｍｍであり、内周長は１５０ｍｍであった。その後、実施例１と同様に処して観察、判定した。
【００２４】
（比較例１）
接着部を溶断シールにより形成し、接着部の幅を０．１ｍｍに変更した以外は実施例１と同様にした。
【００２５】
（比較例２）
レギュラーポリエステル短繊維１４０ｇ／ｍ２と低融点成分を繊維外側に持つポリエステル短繊維６０ｇ／ｍ２を混打綿〜カード〜ニードルパンチ〜加熱ロールによって一体化した複合不織布（厚さ約１０００μｍ、通気度１５ｃｍ３／ｃｍ２／Ｓ、破断強力１１０Ｎ／５ｃｍ、幅７０ｍｍ、長さ５００ｍｍ）を用意し、その２枚を重ね、その間に東洋紡績（株）の毛細管現象利用の不織布給水材「ジャームガード７２１０Ｓ」を幅５０ｍｍ、長さ４３０ｍｍにカットしたリボンを真ん中に挟み込んで、両側に余る各１０ｍｍの部分を超音波型接着機で連続した長さ５００ｍｍの接着部を作り、給水材を挿入されたチューブを得た。チューブの各接着部の幅は５ｍｍであり、長さは５００ｍｍであり、内周長は１２０ｍｍであった。その後、実施例１と同様に処して観察、判定した。
【００２６】
（比較例３）
接着部を連続とせずに長さ方向に２ｍｍ間隔をあけて接着部が５ｍｍになるような非連続接着形状にした以外は実施例６と同様にした。
【００２７】
（比較例４）
ポリエステルモノフィラメント織物（目付２０．３ｇ／ｍ２、通気性７７０ｃｍ３／ｃｍ２／Ｓ以上、破断強力１１０Ｎ／５ｃｍ、幅７０ｍｍ、長さ５００ｍｍ）を２枚用意し、その２枚を重ね、その間に東洋紡績（株）の毛細管現象利用の不織布給水材「ジャームガード７２１０Ｓ」を幅５０ｍｍ、長さ４３０ｍｍにカットしたリボンを真ん中に挟み込んで、両側に余る各１０ｍｍの部分を高周波シール機で連続した長さ５００ｍｍの接着部を作り、給水材を挿入されたチューブを得た。チューブの各接着部の幅は５ｍｍであり、長さは５００ｍｍであり、内周長は１２０ｍｍであった。その後、実施例１と同様に処して観察、判定した。
【００２８】
以下の評価判定基準及び評価結果をそれぞれ表１及び表２に示す。
2009000072.tif 000003
2009000072.tif 000004
【００２９】
表２の結果から、本発明のチューブ（実施例１〜６）は、一作を通してのチューブの耐久性、遮根性、及び透水性、並びに接着部の耐久性及び糖度に関して良好な結果が得られることが理解される。
【産業上の利用可能性】
【００３０】
本発明のチューブは、農業用途の中でもハウス園芸での簡単、低コスト、高品質、高収益野菜果菜類の栽培や果物類の糖度向上栽培であるストレス栽培のために特に好適な資材を提供することができる。
【図面の簡単な説明】
【００３１】
【図１】本発明のストレス栽培用遮根透水チューブの一例を示す。
【図１】
2009000072.tif 000005